(57)【特許請求の範囲】
【請求項１】
基底部から夫々垂直方向に立設された少なくとも３本の支持部材と、前記３本の支持部材の上部間に夫々差し渡された水平なスキャナ支持片と、一本の支持部材上部から水平に突出したスキャナ片持ち支持片と、該スキャナ片持ち支持片の遊端部に取り付けられた調整部材と、を備え、前記各スキャナ支持片及び前記スキャナ片持ち支持片によってスキャナ装置の一部を支持する構造体であって、
前記スキャナ片持ち支持片の遊端部、又は前記調整部材に設けられた突起を、前記調整部材、又は前記スキャナ片持ち支持片の遊端部に設けられた傾斜した第１の長穴に嵌合させ、
前記調整部材又は前記スキャナ片持ち支持片に設けられた、前記第１の長穴と略同角度に傾斜した第２の長穴に、前記調整部材を前記スキャナ片持ち支持片に締結するための締結部材を嵌合させることにより、前記調整部材を斜め上下方向へ進退自在に構成したことを特徴とする構造体。
【請求項２】
請求項１において、前記突起、及び前記長穴から成る嵌合部を二箇所以上設けたことを特徴とする構造体。
【請求項３】
請求項１又は２において、スキャナ片持ち支持片に対する調整部材の垂直方向移動量を目視確認するための調整部材の位置確認手段を備えたことを特徴とする構造体。
【請求項４】
請求項１、２又は３において、前記調整部材のデフォルト位置をスキャナ設置部の平面度を調整する治具により決めることを特徴とする構造体。
【請求項５】
請求項１乃至４の何れか一項に記載の発明において、前記調整部材の調整領域は、下側領域よりも上側領域の方が大きいことを特徴とする構造体。
【請求項６】
請求項１乃至５の何れか一項に記載の発明において、前記スキャナ片持ち支持片に対して前記調整部材を取り付けるための締結操作は、前記構造体の外側から実施可能となるように構成されていることを特徴とする構造体。
【請求項７】
請求項１乃至６の何れか一項に記載の構造体を備えたことを特徴とする画像形成装置。
【発明の詳細な説明】
【技術分野】
【０００１】
本発明は、複写機、プリンタ、ファクシミリ、又はそれらの機能を複合した複合機等の画像形成装置に関し、特に画像形成装置の筐体を構成する構造体の改良にする。
【背景技術】
【０００２】
画像形成装置においては、給紙装置から給紙された記録紙に画像形成部で画像を形成してから機外に排紙する構成が採用される。最近では、装置本体の胴部に凹陥部状の排紙用スペースを設けた胴内排紙と称されるタイプが一般化している。
胴内排紙の画像形成装置では、排紙を取り出し易くするために、排紙スペースの正面から片側側面にかけて連続した開放部が形成されている。
ところが、このように画像形成装置の胴部を正面から片側側面にかけて連続して開放すると、排紙スペースの直上に位置するスキャナ装置は正面片側に支柱を有しない三点支持となるから、支持のないスキャナ装置の正面片側位置に、ユーザーが誤って体重をかけてスキャナ装置に下方向に過度な荷重や衝撃をかけた場合に、スキャナ平面度の調整部材がズレたり、調整部材が破損することにより、スキャナ設置平面度が変化して読取画像に悪影響がでてしまうという問題があった。
この場合には、サービスマンは調整部材を調整、または、交換しなければならないため、この調整、交換のための時間と費用が必要となり、稼働率が低下し、かつ、ランニングコストおよびメンテナンスコストが増加するという問題が生じていた。
【０００３】
特許文献１（特開２００３−２８０３０７公報）に開示された画像形成装置は、スキャナを片持ち支持するフレーム構成において、スキャナ設置部平面度を１ヶ所で調整する調整機構が、受け部、カム、ダイヤル、その他複数の部品で構成されている。更に、スキャナへの過負荷や衝撃に対しては偏芯カム軸の一点で受ける構成が開示されており、スキャナ設置部であり調整で移動する受け部は垂直方向へ移動する構成であり、スキャナへの垂直方向の過負荷や衝撃を分散することなく、ダイレクトに受けてしまう構成が開示されている。
この従来例にあっては、調整機構部品が複数あり、且つ構成が複雑であるため、組付けが難しく、組み立て時間もかかり、組立コスト、部品コストが共に上昇する。また、調整に際して移動する受け部は垂直方向へ移動し、スキャナへの垂直方向への過負荷や衝撃を分散させることなく、偏芯カム軸の１ヶ所で受けてしまう構成であるため、調整機構の破損によるスキャナ設置平面度の狂いや、調整不能をもたらし易い。また、調整機構部品を１部品とした例も開示されているが、調整部材は垂直方向の長穴をネジ締結しているだけであるため、垂直方向への過負荷に対して簡単にずれてしまう。
【０００４】
特許文献２（特開２００１−２２８６６６公報）に係るスキャナ保持装置には、スキャナ支持部材の角度調整を行うことによりスキャナ設置平面度の調整を行う構成が開示されている。
しかし、この従来例は、スキャナ支持部材を角度調整するため、スキャナ設置平面度を決める４点のうちの２点で調整を行わなければならないため調整が困難である。また、スキャナ支持部材の調整支点に対して、スキャナ設置部はスパンが長く、入力の調整量に対して出力の調整量が非常に大きく微調するのは困難である。また、調整後のスキャナ支持部材と本体フレームの固定が、バカネジ穴であり締結力が弱く、調整した平面度の維持が困難である。
また、特許文献３（特願２００７−３０７９３）『画像形成装置』は、調整部材の移動方向と調整方向が同じ垂直方向のネジ式調整であり、垂直荷重を直に受けてしまう構成のため、過負荷や過衝撃が加わった場合に調整機構が破壊しやすく、スキャナ設置平面度の維持が困難となる。また、調整部材による調整が段階的な調整であり、調整部材を左右に移動させるための余計なスペースを要するばかりでなく、微調ができないという問題がある。
【特許文献１】特開２００３−２８０３０７公報
【特許文献２】特開２００１−２２８６６６公報
【特許文献３】特願２００７−３０７９３公報
【発明の開示】
【発明が解決しようとする課題】
【０００５】
本発明の目的は、前記問題点を解決することにある。
まず、特許文献１に対して本発明は次の如き利点を有する。
本発明における調整機構部品は調整部材のみで簡素化され、組付け易く、組み立て時間もかからないため、組立コスト、部品コスト共に上昇要因とはならない。調整部材への垂直荷重は片持ち支持片と調整部材の２点以上の嵌合部で荷重を分散させて受けることができ、且つ、分散された垂直荷重は斜行調整方向と斜行調整方向と直交する方向に分解され、斜行調整方向と直交する方向の荷重は前述の嵌合部で受け、斜行調整方向への荷重は片持ち支持片と調整部材の締結部材による締結力で受けることで、調整部材の垂直方向のズレを効率的に抑制し、スキャナ設置平面度を維持することができる。
【０００６】
また、特許文献２に対して本発明は次の如き利点を有する。
スキャナ支持片は固定されており、４点中の１点のみを調整部材により調整するため、調整が容易である。調整部材が垂直方向に対して斜行して移動するため、調整部材自身の移動量に対して垂直方向への移動量が少ないので調整が微調できる。調整部材への垂直荷重は片持ち支持片と調整部材の２点以上の嵌合部で荷重を分散させて受けることができ、且つ、分散された垂直荷重は斜行調整方向と斜行調整に垂直な方向に分解され、斜行調整に垂直な方向の荷重は前述の嵌合部で受け、斜行調整方向の荷重は片持ち支持片と調整部材の締結部材による締結力で受けることで、調整部材の垂直方向のズレを効率的に抑制し、スキャナ設置平面度を維持することができる。
【０００７】
また、特許文献３に対して本発明は次の如き利点を有する。
調整部材の移動方向と調整方向が同じ垂直方向のネジ式調整ではなく、垂直荷重を直に受けてしまう構成でないため、過負荷や過衝撃が加わった場合に調整機構が破壊しにくく、スキャナ設置平面度の維持が容易となる。また、調整部材による調整が段階的な調整ではなく、しかも調整部材を左右に移動させるための余計なスペースが不要であると共に、微調を行うことができる。
即ち、本発明の目的は、スキャナ装置に垂直方向下向きの過負荷や衝撃が加わった場合であっても、調整部材がずれたり、破損することを防止し、スキャナ設置平面度を保つことで正確な読取を維持することができ、また、万が一、垂直方向への過負荷や衝撃により支柱のない片持ち支持片自身が変形した場合にも、調整部材によりスキャナ設置平面度を容易に調整可能にして、正確な読取を再現させることで、ロバスト性があり、且つ、高画質な画像形成装置を提供することを目的とする。
【課題を解決するための手段】
【０００８】
上記目的を達成するため、請求項１の発明に係る構造体は、基底部から夫々垂直方向に立設された少なくとも３本の支持部材と、前記３本の支持部材の上部間に夫々差し渡された水平なスキャナ支持片と、一本の支持部材上部から水平に突出したスキャナ片持ち支持片と、該スキャナ片持ち支持片の遊端部に取り付けられた調整部材と、を備え、前記各スキャナ支持片及び前記スキャナ片持ち支持片によってスキャナ装置の一部を支持する構造体であって、前記スキャナ片持ち支持片の遊端部、又は前記調整部材に設けられた突起を、前記調整部材、又は前記スキャナ片持ち支持片の遊端部に設けられた傾斜した第１の長穴に嵌合させ、前記調整部材又は前記スキャナ片持ち支持片に設けられた、前記第１の長穴と略同角度に傾斜した第２の長穴に、前記調整部材を前記スキャナ片持ち支持片に締結するための締結部材を嵌合させることにより、前記調整部材を斜め上下方向へ進退自在に構成したことを特徴とする。
調整部材のズレや破損を防止し、スキャナ設置平面度を維持することができ、スキャナ片持ち支持片が変形した場合でもスキャナ設置平面度を調整することで正確な読取ができる。
【０００９】
請求項２の発明に係る構造体は、請求項１において、前記突起、及び前記長穴から成る嵌合部を二箇所以上設けたことを特徴とする。
調整部材のズレや破損を確実に防止し、スキャナ設置平面度を維持することができ、スキャナ片持ち支持片が変形した場合でも、容易、且つ、正確にスキャナ設置平面度を調整することで、正確な読取を可能とする。
請求項３の発明に係る構造体は、請求項１又は２において、スキャナ片持ち支持片に対する調整部材の垂直方向移動量を目視確認するための調整部材の位置確認手段を備えたことを特徴とする。
スキャナ片持ち支持片が変形した場合でも、容易、且つ、正確に、且つ、移動量を把握しながらスキャナ設置平面度を調整可能にすることで、正確な読取を可能とし、ロバスト性があり、且つ、高画質な画像形成装置を提供する。
【００１０】
請求項４の発明に係る構造体は、請求項１、２又は３において、前記調整部材のデフォルト位置をスキャナ設置部の平面度を調整する治具により決めることを特徴とする。
スキャナ設置部の３部品は部品寸法や組付けのバラツキにより、スキャナ設置高さがマシン固有のバラツキを持つ。マシン毎にバラツキのある３部品に対して平面度を決める調整部材の組付け位置調整を、スキャナ設置平面度調整治具を使用して行うため、正確なスキャナ設置平面度を確保して、正確な読取を可能とし、ロバスト性があり、且つ、高画質な画像形成装置を提供することができる。
請求項５の発明に係る構造体は、請求項１乃至４の何れか一項に記載の発明において、前記調整部材の調整領域は、下側領域よりも上側領域の方が大きいことを特徴とする。
スキャナ片持ち支持片の変形は、ユーザーが誤ってスキャナに手をついたり、ひじをついたりして下方向に過度な荷重や衝撃をかけた場合に生じるため、下方向に変形することが一般的である。本発明では、上方向への調整領域を増やすことで、イレギュラーなスキャナ片持ち支持片の変形に対して、調整部材で対応できるようにして、支持片の交換などによるサービスマンの交換時間を減らして、マシン稼働率の低下を防止し、かつ、ランニングコストおよびメンテナンスコストの増加を防止し、且つ、高画質な画像形成装置を提供できるようにする。
【００１１】
請求項６の発明に係る構造体は、請求項１乃至５の何れか一項に記載の発明において、前記スキャナ片持ち支持片に対して前記調整部材を取り付けるための締結操作は、前記構造体の外側から実施可能となるように構成されていることを特徴とする。
調整部材の調整が、側面の外装を外しただけで、容易、且つ、正確に実施できるので、正確な読取を可能とし、ロバスト性があり、且つ、高画質な画像形成装置を提供することができる。また、サービスマンの調整時間を減らすことで、マシン稼働率の低下の防止を図り、且つ、ランニングコストおよびメンテナンスコストの増加を防止することができる。
請求項７の発明に係る画像形成装置は、請求項１乃至６の何れか一項に記載の構造体を備えたことを特徴とする。
調整部材のズレや破損を確実に防止し、スキャナ設置平面度を維持することができ、更にスキャナ片持ち支持片が変形した場合でも、容易、且つ、正確にスキャナ設置平面度を調整することで正確な読取を可能とし、ロバスト性があり、且つ、高画質な画像形成装置を提供することができる。
【発明の効果】
【００１２】
本発明では、スキャナ片持ち支持片の遊端部、又は調整部材に設けられた突起を、調整部材、又はスキャナ片持ち支持片の遊端部に設けられた傾斜した長穴に嵌合させることにより、調整部材を斜め上下方向へ進退自在に構成したので、スキャナ装置に垂直方向下向きの過負荷や衝撃が加わった場合であっても、調整部材がずれたり、破損することを防止し、スキャナ設置平面度を保つことで、正確な読取を維持することができる。また、万が一、垂直方向への過負荷や衝撃により支柱のない片持ち支持片自身が変形した場合にも、調整部材によりスキャナ設置平面度を容易に調整可能にして、正確な読取を再現させることで、ロバスト性を維持し、且つ、高画質な画像形成装置を提供することができる。
【発明を実施するための最良の形態】
【００１３】
以下、本発明を図面に示した実施の形態により詳細に説明する。
図１は本発明の構造体を適用した胴内排紙タイプの画像形成装置の筐体構造を示す斜視図であり、図２はスキャナ装置を分離した状態を示す斜視図である。
この構造体は、矩形の底板或いは底枠（基底部）１と、基底部１の四隅から夫々垂直に立設された支柱２、３、４、５と、支柱間に差し渡された側板６、７、８、９と、スキャナ装置３０の底部を支持するために３本の長尺な支柱２、３、４の上部に差し渡された水平なスキャナ支持片１０、１１と、支柱４の上端部から短尺支柱５方向へ向けて水平に突出したスキャナ片持ち支持片１２と、調整部材２１と、を概略備えている。なお、各支柱２、３、４、５と、スキャナ支持片１０、１１と、スキャナ片持ち支持片１２と、調整部材２１は、構造体本体Ａを構成している。
スキャナ装置３０は、スキャナ支持片１０、１１、及びスキャナ片持ち支持片１２によって支持される。
このような胴内排紙構造の構造体では、排紙を取り出し易くするために、排紙スペースの正面側から片側側面側にかけて連続して開放しており、正面片側に支柱を有しないスキャナ三点支持となる。
【００１４】
次に、図３は本発明に係るスキャナ設置平面度調整機構の構成説明を示す斜視図であり、図４はスキャナ片持ち支持片の先端部の構成説明図であり、図５は調整部材の構成説明図であり、図６は調整部材を取り付けた部分を外側から見た説明図であり、図７は調整部材を取り付けた部分を内側から見た説明図であり、図８は調整手順を示す図である。
スキャナ設置平面度調整機構２０は、支柱４の上部に一端を固定されたスキャナ片持ち支持片１２（以下、片持ち支持片、という）と、片持ち支持片１２の遊端部に取り付けられてスキャナ設置平面度の垂直方向への調整を可能とする調整部材２１と、から構成されている。
片持ち支持片１２は概略Ｌ字状をなしており、基端部側には支柱４に固定される被固定部１２ａがあり、被固定部１２ａから水平に伸びた支持片本体１２ｂの先端には調整部材支持部１２ｃが設けられている。調整部材支持部１２ｃの外側面には、上下位置関係で２つの突起１２１が突設されている。
調整部材２１は、片持ち支持片１２の調整部材支持部１２ｃの外側面を覆う板状部２１ａと、板状部２１ａの３辺から屈曲形成された屈曲片２１ｂ、２１ｃ、２１ｄを備えている。板状部２１ａには、片持ち支持片１２に設けた２個の突起１２１と夫々嵌合する長穴２１１が斜めに形成されている。
【００１５】
また、板状部２１ａには、片持ち支持片１２に設けたネジ穴と連通した状態でネジ２１３により締結される長穴状の孔２１２（長穴２１１と同じ傾斜方向）も形成されている。調整部材２１の底部屈曲片２１ｄからは内側に向けて水平にスキャナ載置片２１４が突設され、手前側屈曲片２１ｃからは内側に向けてスキャナ装置の手前側位置を確定する位置決め片２１５が突設されている。
調整部材２１を片持ち支持片１２の調整部材支持部１２ｃに取り付けるには、各突起１２１を各長穴２１１に嵌合させた状態で片持ち支持片１２に設けたネジ穴と孔２１２を連通させた状態でネジ（締結部材）２１３により締結すればよい。
各長穴２１１は、調整方向（垂直方向）に対して角度θの傾斜を有している。各突起１２１を各長穴２１１内に嵌合した状態で、調整部材２１は長穴２１１の傾斜方向に沿って進退するため、調整部材支持部１２ｃに対する位置関係を微調整可能となっている。
図２に示した状態から、図１に示したようにスキャナ装置底面を構造体上に載置する際には、スキャナ支持片１０、１１の各上面と、スキャナ片持ち支持片１２の先端に位置するスキャナ載置片２１４によって支持される。
突起１２１と長穴２１１は、嵌合部Ｂを構成している。
なお、上記実施形態では、片持ち支持片１２側に突起１２１を設け、調整部材２１側に長穴２１１を設けたが、調整部材２１側に突起１２１を設け、片持ち支持片１２側に長穴２１１を設けてもよい。
また、上記実施形態では、嵌合部Ｂを二箇所設けたが、１ヶ所でも構わない。
【００１６】
スキャナ装置３０を設置する調整部材２１に垂直方向下向きへの過負荷や衝撃が加わった場合、図８に示すように垂直荷重Ｆは嵌合部で荷重Ｆ１とＦ２に分解されて減少する。即ち、Ｆ＝Ｆ１＋Ｆ２となる。
荷重Ｆ１とＦ２は、斜行調整方向と斜行調整方向と直交する向とに分解され、斜行調整方向と直交する荷重Ｆ１×ｓｉｎθ、Ｆ２×ｓｉｎθは嵌合部Ｂで受け、斜行調整方向の荷重Ｆ１×ｃｏｓθ、Ｆ２×ｃｏｓθは片持ち支持片１２と調整部材のネジ２１３による締結力で受けることで、調整部材２１の垂直方向へのズレを効率的に抑制し、スキャナ設置平面度を維持することが可能となる。
次に、片持ち支持片１２と調整部材とを相対移動可能に連結する嵌合部Ｂを２ヶ所以上設けることで、スキャナ装置３０が設置される調整部材２１に加わる垂直荷重Ｆは各嵌合部ＢでＦ１からＦｎに分散される。即ち、Ｆ＝Ｆ１＋Ｆ２＋・・・・＋Ｆｎとなる。
これにより、各嵌合部Ｂへの荷重が細分化されて低減されるため、調整部材２１の垂直方向のズレをより効率的に抑制し、スキャナ設置平面度を維持することが可能となる。
また、嵌合部Ｂは調整部材２１を移動させる際のガイド機能を兼ねる（図６、図７）。
【００１７】
次に、胴内排紙タイプの画像形成装置では、排紙を取り出し易くするために、排紙スペースの正面側から片側側面側にかけて連続して開放している。
本発明においては、片持ち支持片１２と調整部材２１は、排紙スペースの正面側から片側面にかけて連続して開放している側面（図１、図２の場合は左側面＝構造体の外側）からネジ２１３（締結部材）により締結できるようにすることで、調整部材２１の側面外装カバー（図省略）を外すだけで、ネジ２１３にアクセスして操作することが可能となり、且つ、締結方向（ドライバによる回転方向）を１方向に統一することで、メンテナンス性が向上し、調整時間の短縮化が可能となる。
次に、図８中に示すように、片持ち支持片１２の外側面に水平方向に等間隔で平行に伸びる複数本の目盛り線１２５を設ける一方で、調整部材２１の板状部２１ａの端縁に目盛り線１２５を指し示す突起形状２１６を設ける。この目盛り線１２５と突起形状（指標）２１６との位置関係に基づいて片持ち支持片１２に対する調整部材２１の正確な位置関係、傾斜角度、水平度を確認することができる。
目盛り線１２５と指標２１６は、調整部材の位置確認手段を構成している。
なお、片持ち支持片１２側に突起形状（指標）を設け、調整部材２１側に目盛り線を設けてもよい。
【００１８】
次に、スキャナ支持片１０、１１と、スキャナ片持ち支持片１２との間には、部品寸法誤差や組付けバラツキがあり、スキャナ装置を設置したときの高さバラツキが個々の構造体（画像形成装置）毎に発生する。具体的にはスキャナ支持片１０、１１の上面と、スキャナ片持ち支持片１２先端の調整部材２１に設けられたスキャナ載置片２１４の寸法誤差、或いは組み付け誤差によってスキャナ装置を設置した際の水平度にバラツキが発生する。
本発明では、機器毎にバラツキのあるスキャナ支持片１０、１１と、スキャナ片持ち支持片１２に対して、残りの１点である調整部材２１を図示しないスキャナ設置平面度調整治具を用いてデフォルト位置を調整することにより、スキャナ装置の設置角度を微調整することができる。
即ち、３部品であるスキャナ支持片１０、１１、及びスキャナ片持ち支持片１２に設置させた平面度治具により、残り１点である調整部材２１の位置が決まり、調整部材２１のスキャナ設置部が前記調整位置になるように、図示しない平面度治具に設けた位置決めピンと調整部材に設けた位置決め穴２２０（図８）を嵌合させる。
或いは、調整部材２１のスキャナ設置部が前記調整位置になるように、平面度治具に調整部材を押し上げる。
【００１９】
次に、図６に示すように、スキャナ片持ち支持片１２の遊端部外周面に対して、調整部材２１の屈曲片２１ｂ、２１ｃ、２１ｄを突き当てることで調整領域の上下限を決める構成においては、上側への調整可能量αと下側への調整可能量βがα＞βとなるように設定する。
上下限の規制を行うための手法としてはどのような構成であってもよいが、上下限の調整可能量を上側の方が大きくなるように構成すればよい。
なお、図６では、長穴２１１と孔２１２との位置関係が他の図と異なっているが、このように異ならせても良い。
本発明の構造体は、複写機、プリンタ、ファクシミリ等のスキャナ装置を備えた画像形成装置一般に適用することができる。
以上のように本発明によれば、各スキャナ支持片１０、１１及びスキャナ片持ち支持片１２によってスキャナ装置３０を夫々支持する構造体において、スキャナ片持ち支持片の遊端部、又は調整部材２１に設けられた突起を、調整部材、又はスキャナ片持ち支持片の遊端部に設けられた傾斜した長穴に嵌合させることにより、調整部材を斜め上下方向へ進退自在に構成したので、調整部材２１のズレや破損を防止し、スキャナ設置平面度を維持することができ、スキャナ片持ち支持片が変形した場合でもスキャナ設置平面度を調整することで正確な読取ができる。
【００２０】
また、突起、及び長穴から成る嵌合部を二箇所以上設けたので、調整部材のズレや破損を確実に防止し、スキャナ設置平面度を維持することができ、スキャナ片持ち支持片が変形した場合でも、容易、且つ、正確にスキャナ設置平面度を調整することで、正確な読取を可能とする。
また、スキャナ片持ち支持片に対する調整部材の垂直方向移動量を目視確認するための調整部材の位置確認手段を備えたので、スキャナ片持ち支持片が変形した場合でも、容易、且つ、正確に、且つ、移動量を把握しながらスキャナ設置平面度を調整可能にすることで、正確な読取を可能とし、ロバスト性があり、且つ、高画質な画像形成装置を提供する。
また、調整部材２１のデフォルト位置をスキャナ設置部の平面度を調整する治具により決めるようにしたので、マシン毎にバラツキのある３部品１０、１１、１２に対して平面度を決める調整部材２１の組付け位置調整を、スキャナ設置平面度調整治具を使用して行うため、正確なスキャナ設置平面度を確保して、正確な読取を可能とし、ロバスト性があり、且つ、高画質な画像形成装置を提供することができる。
【００２１】
また、調整部材の調整領域は、下側領域よりも上側領域の方が大きいので、上方向への調整領域を増やすことができ、イレギュラーなスキャナ片持ち支持片の変形に対して、調整部材で対応できるようにして、支持片の交換などによるサービスマンの交換時間を減らして、マシン稼働率の低下を防止し、かつ、ランニングコストおよびメンテナンスコストの増加を防止し、且つ、高画質な画像形成装置を提供できる。
また、スキャナ片持ち支持片に対して調整部材を取り付けるための締結操作は、構造体の外側から実施可能となるように構成されているので、調整部材の調整が、側面の外装を外しただけで、容易、且つ、正確に実施できることとなり、正確な読取を可能とし、ロバスト性があり、且つ、高画質な画像形成装置を提供することができる。また、サービスマンの調整時間を減らすことで、マシン稼働率の低下の防止を図り、かつ、ランニングコストおよびメンテナンスコストの増加を防止することができる。
【図面の簡単な説明】
【００２２】
【図１】本発明の構造体を適用した胴内排紙タイプの画像形成装置の筐体構造を示す斜視図である。
【図２】スキャナ装置を構造体から分離した状態を示す斜視図である。
【図３】本発明に係るスキャナ設置平面度調整機構の構成説明を示す斜視図である。
【図４】スキャナ片持ち支持片の先端部の構成説明図である。
【図５】調整部材の構成説明図である。
【図６】調整部材を取り付けた部分を外側から見た説明図である。
【図７】調整部材を取り付けた部分を内側から見た説明図である。
【図８】調整手順を示す図である。
【符号の説明】
【００２３】
１…基底部  ２、３、４…長尺支柱  ５…短尺支柱  ６、７、８、９…側板  １０、１１…スキャナ支持片  １２…スキャナ片持ち支持片  １２ａ…被固定部  １２ｂ…支持片本体  １２ｃ…調整部材支持部  １２１…突起  １２５…メモリ線  ２０…スキャナ設置平面度調整機構  ２１…調整部材  ２１ａ…板状部  ２１ｂ…屈曲片  ２１ｃ…手前側屈曲片  ２１ｄ…底部屈曲片  ２１１…長穴  ２１２…孔  ２１３…ネジ（締結部材）  ２１４…スキャナ載置片  ２１６…突起形状（指標）  ２２０…穴  ３０…スキャナ装置
【図１】
0004939462.tif 000002
【図２】
0004939462.tif 000003
【図３】
0004939462.tif 000004
【図４】
0004939462.tif 000005
【図５】
0004939462.tif 000006
【図６】
0004939462.tif 000007
【図７】
0004939462.tif 000008
【図８】
0004939462.tif 000009